(57)【要約】【課題】  拡散板を削減可能な液晶表示器を備えた車両用表示装置を提供する。【解決手段】  パネル表示器Ａを保持する中ケース４と、中ケース４が収納される下ケース６と、パネル表示器Ａを照明する光源１１ｂと、パネル表示器Ａの背面側の一部が配置される表示板３と、を備えている。中ケース４は、パネル表示器Ａ側に突出した保持部材４１を有している。表示板３は、パネル表示器Ａ側に対応した領域に光源１１ｂからの光の輝度を調整する輝度調整部３１を備えている。【選択図】図１
2015224951.tif 000002
【特許請求の範囲】
【請求項１】
表示器と、
前記表示器を保持するケース体と、
前記ケース体が収納される筐体と、
前記表示器を照明する光源と、
前記表示器の背面側の一部が配置される表示板と、を備えた車両用表示装置において、
前記ケース体は、前記表示器側に突出した前記表示器を保持する保持部材を有し、
前記表示板は、前記表示器に対応した領域に前記光源からの光の輝度を調整する輝度調整部を備え、前記保持部材が貫通する貫通孔を有していることを特徴とする車両用表示装置。
【請求項２】
前記表示器は、前記表示板を貫通した前記保持部材によって保持されることを特徴とする請求項１に記載の車両用表示装置。
【請求項３】
前記表示器は、前記表示板を透過した光によって照明される請求項１または請求項２に記載の車両用表示装置。
【発明の詳細な説明】
【技術分野】
【０００１】
本発明は、部品点数の削減が可能な液晶表示器を備えた車両用表示装置に関するものである。
【背景技術】
【０００２】
従来から、液晶表示素子の背後に配置された光源の光によって、液晶表示素子を照明することにより、車両情報などを表示する車両用表示装置が知られている。また、液晶表示素子の照明を均一にするために、液晶表示素子と光源との間に拡散板を有したものが一般的である。
【０００３】
また、このような車両用表示装置は、拡散板に網点印刷を施して輝度を調整することで、さらに液晶表示素子の照明ムラを抑制する構造が知られている。
【先行技術文献】
【特許文献】
【０００４】
【特許文献１】特開平６−２６１７００号公報
【発明の概要】
【発明が解決しようとする課題】
【０００５】
しかしながら、拡散板に網点を施す作業や、拡散板の管理コストが必要となり、簡素化による部品点数の削減が期待されていた。
【０００６】
そこで、本発明はこの様な点に鑑みなされたもので、拡散板を削減可能な液晶表示器を備えた車両用表示装置を提供することを目的とする。
【課題を解決するための手段】
【０００７】
本発明は、表示器と、
前記表示器を保持するケース体と、
前記ケース体が収納される筐体と、
前記表示器を照明する光源と、
前記表示器の背後に配置される表示板と、を備えた車両用表示装置において、
前記表示器の背面側の一部が配置される表示板と、を備えた車両用表示装置において、
前記ケース体は、前記表示器側に突出した前記表示器を保持する保持部材を有し、
前記表示板は、前記表示器に対応した領域に前記光源からの光の輝度を調整する輝度調整部を備え、前記保持部材が貫通する貫通孔を有しているものである。
【０００８】
また、本発明は、前記表示器は、前記表示板を貫通した前記保持部材によって保持されるものである。
【０００９】
また、本発明は、前記表示器は、前記表示板を透過した光によって照明されるものである。
【発明の効果】
【００１０】
本発明によれば、拡散板を削減可能な液晶表示器を備えた車両用表示装置を提供することができる。
【図面の簡単な説明】
【００１１】
【図１】本発明の実施形態による車両用表示装置の分解斜視図。
【図２】同上の要部拡大斜視図。
【図３】同上の中ケースの正面図。
【発明を実施するための形態】
【００１２】
本発明の車両用表示装置の実施形態について、添付図面を用いて以下に説明する。
【００１３】
図１に示すように、車両用表示装置は、パネル表示器Ａと、光透過性樹脂から形成された前面カバー１と、視認可能な窓部を有した見返し部材２と、表示板３と、中ケース４と、回路基板５と、下ケース６と、指針７と、光源１１と、から構成され、パネル表示器Ａは、見返し部材２と表示板３との間に配置されている。また、パネル表示器Ａは、液晶表示パネル８と、パネル抑え９と、から構成される。表示板３は、液晶表示パネル８の背後であって、液晶表示パネル８に対応した領域に、光源１１からの光の輝度を調整する輝度調整部３１を備えている。中ケース４は、表示板３を背後から保持する（支持する）保持部材４１を備え、不透過性の樹脂からなる下ケース６に収納されている。
【００１４】
指針式表示部Ｂは、見返し部材２によって仕切られた可視範囲であって、パネル表示器Ａの外周を囲むように形成されている。
【００１５】
指針７は、透光性樹脂材料から成形され、指針照明用の光源１１ａの光によって発光する発光指針である。
【００１６】
液晶表示パネル８は、図示しないが、前側ガラス基板と後側ガラス基板との間に液晶分子を封入し、各々のガラス基板に偏光膜を貼ったものである。そして、各ガラス基板に設けた図示しない電極部に外部測定量に応じた信号（電圧）が印加されると、車両の作動状態（例えば車両の走行距離や燃料残量）などが表示されるパネル表示器が黒色で現れるようになっている。また、図示しないが、液晶表示パネル８には回路基板５と電気的に接続するためのリードピンやフレキシブルプリント配線板などの接続部材が配置されている。
【００１７】
パネル抑え９は、金属材料である例えばステンレス銅板からなり、縁部９１と囲い部９２と、パネル係合部９３とを有している。パネル抑え９のパネル係合部９３を、パネル係合部９３に対応した貫通孔３３と、中ケースの貫通孔（図示せず）と、回路基板５のパネル係合部９３に対応した貫通孔（図示せず）とに嵌め込むことによって液晶表示パネル８が表示板３に押えつけられると共に、回路基板５に係合（加締め）されるようになっている。
【００１８】
表示板３は、光透過性の板材にワーニングや数字などの意匠（図示せず）が印刷によって施されたものである。表示板３には、図示しないムーブメントの指針軸を表示板３の表面側に貫通させるための軸孔が形成され、指針軸の先端に指針７が装着される。
また、表示板３は、パネル表示器Ａが配置される箇所に液晶表示パネル８用の光源１１ｂの輝度調整を行うための輝度調整部３１が形成されている。輝度調整部３１は、表示板３の意匠や背景が印刷されていない箇所であって、表面もしくは裏面に網点などの印刷が施されている。輝度調整部３１の近傍には、後述する保持部材４１が貫通する貫通孔３２が形成されており、本実施形態においては、保持部材４１の形状に対応し、若干の隙間がある程度のＬ字型の孔が形成されている。
【００１９】
中ケース４は、例えば白色の合成樹脂から成形され、回路基板５上に配置される。本実施形態では、中ケース４は、表示板３を背面から保持する保持部材４１と、壁部４２と、底部４３とを備えている。底部４３は、図３に示すように、光源１１ｂの光が表示板３方向に照射されるために開口部４４が形成されているが、表示板３の意匠とパネル表示器Ａとを、同一の光源によって照明する場合は、空間を区画する壁部４２や底部４３を形成しないで、光源１１ｂの光がより遠方方向に照射されるように構成してもよい。
また、その場合、中ケース４には、指針軸を中心に回路基板５に実装された光源１１ｂからの光を、表示板３方向に反射させる反射部などが形成されているのが好ましい。
【００２０】
保持部材４１は、中ケース４に一体成形され、表示板３方向に突出した柱状の部材である。本実施形態では、液晶表示パネル８の四角に対応する対角線上に断面Ｌ字型の保持部材４１が４つ形成されている。
【００２１】
回路基板５は、ガラスエポキシ樹脂からなる硬質回路基板を適用でき、図１に示すように、指針７を照明する光源１１ａやパネル表示器Ａを照明する光源１１ｂの他に、制御回路が同一面上に実装され、それらの電子部材に電力供給するための図示しない回路パターンが形成されている。また、パネル係合部９３が貫通する貫通孔（図示せず）が形成され、パネル係合部９３は、回路基板５を貫通したあと、パネル係合部９３の端部が回路基板５の裏面側でほぼ直角に折り曲げられる。
【００２２】
パネル係合部９３が回路基板５に加締め固定された状態では、保持部材４１は表示板３のＬ字型の貫通孔３２を通過するとともに、表示板３の裏面が壁部４２と当接し、保持部材４１の上面部４５がパネル抑え９の縁部９１の内側に当接する。これによってパネル表示器Ａは、表示板３、中ケース４、及び回路基板５に組み付けされる。
【００２３】
このように、本発明によれば、パネル表示器Ａと、パネル表示器Ａを保持する中ケース４と、中ケース４が収納される下ケース６と、パネル表示器Ａを照明する光源１１ｂと、パネル表示器Ａの背面側の一部が配置される表示板３と、を備えた車両用表示装置において、中ケース４は、パネル表示器Ａ側に突出したパネル表示器Ａを保持する保持部材４１を有し、表示板３は、パネル表示器Ａ側に対応した領域に光源１１ｂからの光の輝度を調整する輝度調整部３１を備え、保持部材４１が貫通する貫通孔３２を有していることによって、拡散板を別途配置する必要がない車両用表示装置を提供することができる。
【００２４】
また、本発明によれば、パネル表示器Ａは、表示板３を貫通した保持部材４１によって保持されるので、表示板３を挟んだ状態でパネル抑え９を固定することができる。
【符号の説明】
【００２５】
１      前面カバー
２      見返し部材
３      表示板
４      中ケース（ケース体）
５      回路基板
６      下ケース（筐体）
７      指針
８      液晶表示パネル
９      パネル抑え
１０    液晶表示素子
１１ａ、１１ｂ    光源
３１    輝度調整部
４１    保持部材
９１    縁部
９２    囲い部
９３    係合部
９４    壁部
９５    底部
９６    空間部
Ａ      パネル表示器（表示器）
Ｂ      指針式表示部
【図１】
2015224951.tif 000003
【図２】
2015224951.tif 000004
【図３】
2015224951.tif 000005